(57)【特許請求の範囲】
【請求項１】
上下デッキボードの四隅に配置された隅桁と、該隅桁の間に配置された中間桁と、前記上下デッキボードの中央に配置された中央桁とを有し、下部デッキボードの隅桁と中間桁及び下部デッキボードの中間桁と中央桁とが、それぞれ連結部材により連結されているとともに、下部デッキボードには、前記連結部材で囲まれた開口部が形成されている四方差し合成樹脂製パレットにおいて、フォーク挿入方向に対して垂直な方向で、且つ、ハンドフォークリフトの折り畳まれた状態の車輪が配設されたフォークが通過する部分の前記連結部材の厚みを薄くするとともに、前記薄く形成された部分以外の前記連結部材の厚さを厚くしたことを特徴とする合成樹脂製パレット。
【発明の詳細な説明】
【０００１】
【発明の属する技術分野】
本発明は、ハンドフォークリフトの出し入れが可能なフォーク挿入孔を有する合成樹脂製パレットに関するものである。
【０００２】
【従来の技術】
従来、平面形状がほぼ矩形状の中間桁及び該中間桁を挟んで配置された同じく平面形状がほぼ矩形状の一対の端部桁を有し、上部デッキボードと下部デッキボードを連結する中間桁と一対の端部桁との間に、一対のフォーク差し込み孔が形成された、所謂、２方差し合成樹脂製パレットや、上下デッキボードの四隅に配置された隅桁と、該隅桁の間に配置された中間桁と、上下デッキボードの中央に配置された中央桁とを有し、各桁間にフォーク差し込み孔が形成された、所謂、４方差し合成樹脂製パレットが知られており、これら２方差し合成樹脂製パレットや４方差し合成樹脂製パレットの下部デッキボードには、ハンドフォークリフトの車輪が地面や床面に当接するように、開口が形成されているとともに、下部デッキボードには、各桁を連結する連結部材が形成されており、フォーク差し込み孔に挿入されるハンドフォークリフトの車輪は、この連結部材を乗り越えるように構成されている。
【０００３】
【発明が解決しようとする課題】
ハンドフォークリフトの場合には、車輪が折り畳まれた状態（ハンドフォークリフトのフォーク側に、車輪が一番接近した状態）で、フォーク差し込み孔ｐ１に挿入されるが、この状態での車輪の下面からフォークの上面までの距離、換言すれば、フォーク差し込み孔ｐ１に挿入される部分の厚さは、一般的に、８０ｍｍ程度である。一方、フォークリフトの場合には、フォーク差し込み孔ｐ１に挿入されるフォークの厚さは、一般的に、３５〜５５ｍｍである。従って、合成樹脂製パレットｐを、ハンドフォークリフトとフォークリフトの両方に使用可能なハンドフォークリフト・フォークリフト兼用仕様にする場合には、当然のことながら、フォーク差し込み孔ｐ１の高さｈ１は、ハンドフォークリフト仕様に合わせなければならず、上記の例では、フォーク差し込み孔ｐ１の高さｈ１を、８０ｍｍを超える高さにしなければならないことになる。
【０００４】
このように、合成樹脂製パレットｐを、ハンドフォークリフト・フォークリフト兼用仕様にすると、フォーク差し込み孔ｐ１の高さｈ１が高くなり、従って、上部デッキボードｐ２の厚さｄ１や下部デッキボードｐ３の厚さｄ２が薄くなり、合成樹脂製パレットｐの強度が低下するという問題がある。合成樹脂製パレットｐの強度の低下を防ぐために、合成樹脂製パレットｐの全体の高さｈ２を高くすると、合成樹脂製パレットｐの重量が増加したり、合成樹脂製パレットｐを段積みしたりして保管する際の保管効率が悪くなり、また、合成樹脂製パレットｐの原材料の量が増加し、合成樹脂製パレットｐが高価になる。
【０００５】
本発明の目的は、上述した従来の合成樹脂製パレットが有する課題を解決することにある。
【０００６】
【課題を解決するための手段】
本発明は、上述した目的を達成するために、上下デッキボードの四隅に配置された隅桁と、該隅桁の間に配置された中間桁と、前記上下デッキボードの中央に配置された中央桁とを有し、下部デッキボードの隅桁と中間桁及び下部デッキボードの中間桁と中央桁とが、それぞれ連結部材により連結されているとともに、下部デッキボードには、前記連結部材で囲まれた開口部が形成されている四方差し合成樹脂製パレットにおいて、フォーク挿入方向に対して垂直な方向で、且つ、ハンドフォークリフトの折り畳まれた状態の車輪が配設されたフォークが通過する部分の前記連結部材の厚みを薄くするとともに、前記薄く形成された部分以外の前記連結部材の厚さを厚くしたものである。
【０００７】
【実施例】
以下に、本発明の実施例について説明するが、本発明の趣旨を越えない限り何ら、本実施例に限定されるものではない。
【０００８】
図１には、一例として、上下デッキボード１、２の四隅に配置された隅桁１ａ、２ａと、該隅桁１ａ、２ａの間に配置された中間桁１ｂ、２ｂと、上下デッキボード１、２の中央に配置された中央桁１ｃ、２ｃとを有し、各隅桁１ａ、２ａ同士、中間桁１ｂ、２ｂ同士及び中央桁１ｃ、２ｃ同士の先端部を溶着することにより、各桁間にフォーク差し込み孔３が形成された４方差し合成樹脂製パレット（以下、単に、パレットともいう。）Ｐが示されている。そして、下部デッキボード２の隅桁２ａと中間桁２ｂとは、連結部材４で連結されており、また、下部デッキボード２の中間桁２ｂと中央桁２ｃとは、連結部材５で連結されており、下部デッキボード２には、各連結部材４、５で囲まれた開口部６が形成されている。
【０００９】
ハンドフォークリフトＦのフォークｆ１を、フォーク差し込み孔３の開口から挿入した際に、フォークｆ１の先端部に折り畳み可能に配設された車輪ｆ２は、下部デッキボード２の隅桁２ａと中間桁２ｂとを連結する連結部材４を超えて、フォークｆ１が挿入された側に位置する開口部６を通過し、更に、下部デッキボード２の中間桁２ｂと中央桁２ｃとを連結する連結部材５を超えて、図５に示されているように、フォークｆ１が挿入された側から遠い方に位置する開口部６の下方の地面や床面Ｔに載置されるように構成されている。
【００１０】
なお．上述した連結部材４、５は、フォーク差し込み孔３の入り口からフォーク挿入方向に沿って上方に向かう傾斜部４ａ、５ａと、該傾斜部４ａ、５ａに連続して形成された平坦部４ｂ、５ｂと、該平坦部４ｂ、５ｂに連続して形成された、フォーク挿入方向に沿って下方に向かう傾斜部４ｃ、５ｃとを有しており、上記のような傾斜部４ａ、５ａ、４ｃ、５ｃを形成することにより、フォークｆ１の先端部に配設された車輪ｆ２が、連結部材４、５を容易に乗り越えることができるように構成されている。
【００１１】
次に、主として、図１及び図４を用いて、フォーク差し込み孔３の構成について説明する。
【００１２】
本実施例においては、下部デッキボード２の隅桁２ａと中間桁２ｂとを連結する連結部材４及び下部デッキボード２の中間桁２ｂと中央桁２ｃとを連結する連結部材５のフォークｆ挿入方向に対して垂直な方向で、且つ、ハンドフォークリフトＦの折り畳まれた状態の車輪ｆ２が配設されたフォークｆ１が通過する部分及び該部分の近傍部分Ｗ１の厚みのみを薄くして、パレットＰのフォーク差し込み孔３の高さＨ１を、ハンドフォークリフトＦの折り畳まれた状態の車輪ｆ２が配設されたフォークｆ１が通過可能なように高くする。そして、それ以外の部分Ｗ２の連結部材４、５の厚さは厚くして、この部分のパレットＰのフォーク差し込み孔３の高さＨ２を、フォークリフトのフォークが通過できる程度の高さとする。
【００１３】
上述したように、連結部材４、５のフォークｆ１が通過する部分及び該部分の近傍部分Ｗ１の厚みのみを薄くして、それ以外の部分Ｗ２の厚さを厚くするように構成することにより、連結部材４、５の強度の低下を押さえることができるので、連結部材４、５の全体の厚みを薄くした従来のパレットｐに比べ、パレットＰ全体の強度を上げることができ、パレットＰの耐用年数を長くすることができる。また、連結部材４、５のフォークｆ１が通過する部分及び該部分の近傍部分Ｗ１以外の連結部材４、５の部分Ｗ２のフォークｆ１挿入方向に位置する開口部６領域には、車輪ｆ２が入る込むことがないので、この領域まで、下部デッキボード２を拡げることができるので、開口部６が小さくなり、従って、パレットＰ全体の強度を上げることができ、更に、パレットＰの耐用年数を長くすることができる。
【００１４】
上述したように、フォークｆ１が通過する部分及び該部分の近傍部分Ｗ１の厚みのみを薄くして、それ以外の部分Ｗ２の厚さを厚くするように構成した連結部材４、５を有するフォーク差し込み孔３を、４方差し合成樹脂製パレットＰの全てのフォーク差し込み孔３に適用することもできるが、図１に示されているように、一方の相対する側面に形成された２個のフォーク差し込み孔３のみに適用することもできる。
【００１５】
【発明の効果】
本発明は、以上説明した構成を有しているので、以下に記載する効果を奏するものである。
【００１６】
桁間を連結する連結部材のハンドフォークリフトの車輪が通過する部分及び該部分の近傍部分の厚みのみを薄くして、それ以外の部分の厚さを厚くしたので、連結部材の全体の厚みを薄くした従来の合成樹脂製パレットに比べ、合成樹脂製パレット全体の強度を上げることができ、ひいては、合成樹脂製パレットの耐用年数を長くすることができる。
【図面の簡単な説明】
【図１】図１は本発明の一例としての合成樹脂製パレットの斜視図である。
【図２】図２は図１に示されている本発明の一例としての合成樹脂製パレットの裏面図である。
【図３】図３は図１に示されている本発明の一例としての合成樹脂製パレットのハンドフォークリフトの一部が示されている一部切り欠きを含む平面図である。
【図４】図４は図３のＩ−Ｉ線に沿ったハンドフォークリフトの一部を含む垂直断面図である。
【図５】図５は図３のII−II線に沿ったハンドフォークリフトを含む垂直断面図である。
【図６】図６は従来の合成樹脂製パレットの正面図である。
【符号の説明】
Ｐ・・・・・・・・合成樹脂製パレット
１・・・・・・・・上部デッキ
２・・・・・・・・下部デッキ
３・・・・・・・・フォーク差し込み孔
４、５・・・・・・連結部材
【図１】
0004303375.tif 000002
【図２】
0004303375.tif 000003
【図３】
0004303375.tif 000004
【図４】
0004303375.tif 000005
【図５】
0004303375.tif 000006
【図６】
0004303375.tif 000007